(57)【要約】      （修正有）【解決手段】携帯電話機１０はタッチパネル１８が一体形成されたカバーガラス１４およびフレキシブルディスプレイ１６などを備える。タッチパネル１８とフレキシブルディスプレイ１６とはカバーガラス１４の平面部では接着され、カバーガラス１４の曲面部では接着されない。任意に曲げることが出来るカバーガラス１４は、弾性を有するキャビネット１２に取り付けられている。このような携帯電話機１０に対して力が加えられると曲面部は変形するが、剛性を有する基板３０などが内部に設けられている平面部は略変形しない。【効果】携帯電話機１０の変形に応じてフレキシブルディスプレイ１６が変形したときに、変形に起因する負荷がフレキシブルディスプレイ１６に加わったとしても、接着されていない部分ではフレキシブルディスプレイ１６が動くため、フレキシブルディスプレイ１６が破損する可能性を低くすることが出来る。【選択図】図３
2015226204.tif 000002
【特許請求の範囲】
【請求項１】
フレキシブルディスプレイ、
前記フレキシブルディスプレイを保護するカバー、
前記カバーに一体形成されるタッチパネル、
前記フレキシブルディスプレイの裏側に設けられる基板、および
前記フレキシブルディスプレイと前記タッチパネルとを、前記基板が設けられる位置に対応して部分的に接着する接着層を備える、携帯端末。
【請求項２】
前記カバーは、平面部および変形する曲面部を有し、
前記基板は、前記平面部と対応する位置で、前記フレキシブルディスプレイの裏側に設けられ、
前記接着層は、前記平面部では前記フレキシブルディスプレイと前記タッチパネルとを接着し、
前記曲面部では前記フレキシブルディスプレイと前記タッチパネルとが接着されない、請求項１記載の携帯端末。
【請求項３】
前記カバーは、矩形であり、
前記平面部は、矩形の前記カバーの特定部分に設けられ、
前記曲面部は、矩形の前記カバーの一対の辺の周辺に設けられ、
前記フレキシブルディスプレイは、前記曲面部と対応する端の部分が内側に折り曲げられている、請求項２記載の携帯端末。
【請求項４】
前記カバーは、全体として湾曲しており、
前記基板は、前記カバーの特定部分と対応する位置で、前記フレキシブルディスプレイの裏側に設けられ、
前記接着層は、前記特定部分では前記フレキシブルディスプレイと前記タッチパネルとを接着し、
前記カバーの縁の周辺では前記フレキシブルディスプレイと前記タッチパネルとが接着されず、
前記フレキシブルディスプレイは、前記カバーの縁の周辺と対応する端の部分が内側に折り曲げられている、請求項１記載の携帯端末。
【請求項５】
前記カバーの特定部分では前記フレキシブルディスプレイと前記タッチパネルとが接着されず、
前記基板は、前記カバーのその他の部分で、前記フレキシブルディスプレイの裏側に設けられ、
前記接着層は、前記カバーのその他の部分では前記フレキシブルディスプレイと前記タッチパネルとを接着し、
前記フレキシブルディスプレイ、前記カバーおよび前記タッチパネルは、前記特定部分で任意に曲げることができる、請求項１記載の携帯端末。
【請求項６】
フレキシブルディスプレイ、
前記フレキシブルディスプレイを保護するカバー、
前記フレキシブルディスプレイと前記カバーとの間に設けられ、前記フレキシブルディスプレイと同様に変形するタッチパネル、
前記フレキシブルディスプレイの裏側に設けられる基板、
前記カバーと前記タッチパネルとを、前記基板が設けられる位置に対応して部分的に接着する第１接着層、および
前記タッチパネルと前記フレキシブルディスプレイとを、前記基板が設けられる位置に対応して部分的に接着する第２接着層を備える、携帯端末。
【発明の詳細な説明】
【技術分野】
【０００１】
この発明は携帯端末に関し、フレキシブルディスプレイを有する、携帯端末に関する。
【背景技術】
【０００２】
背景技術の一例が特許文献１に開示されている。この特許文献１の携帯端末装置では、フレキシブルディスプレイ、フレキシブル基板および筐体が屈曲するため、人は携帯端末装置の全体を屈曲させることができる。
【特許文献１】特開2008-306244号公報［H04M 1/02, G06F 1/18］
【発明の概要】
【発明が解決しようとする課題】
【０００３】
たとえば、引用文献１では、フレキシブルディスプレイをカバー材で覆い、フレキシブルディスプレイとカバー材とが密着するように固定することが考えられる。ところが、このようにカバー材に固定されたフレキシブルディスプレイが曲げたり、伸ばしたりされると、フレキシブルディスプレイとカバー材との内径・外径差によって、フレキシブルディスプレイに対してせん断応力（負荷）がかかり、フレキシブルディスプレイが破損するおそれがある。
【０００４】
それゆえに、この発明の主たる目的は、新規な、携帯端末を提供することである。
【０００５】
この発明の他の目的は、フレキシブルディスプレイが破損する可能性を低くすることができる、携帯端末を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、フレキシブルディスプレイ、フレキシブルディスプレイを保護するカバー、カバーに一体形成されるタッチパネル、フレキシブルディスプレイの裏側に設けられる基板、およびフレキシブルディスプレイとタッチパネルとを、基板が設けられる位置に対応して部分的に接着する接着層を備える、携帯端末である。
【０００８】
第１の発明では、携帯端末（１０：実施例において対応する部分を例示する参照符号。以下、同じ。）では、たとえば有機ＥＬである、フレキシブルディスプレイ（１６）が、カバー（１４）によって保護されている。タッチパネル（１８）として機能する透明電極をカバーに蒸着することで、タッチパネルがカバーに一体形成されている。たとえばプロセッサなどが実装された基板（３０）は、フレキシブルディスプレイの裏側に設けられる。また、接着層（４０）は、たとえば接着剤であり、基板が設けられる位置に対応してフレキシブルディスプレイとタッチパネルとを部分的に接着する。
【０００９】
第１の発明によれば、カバーに一体形成されたタッチパネルとフレキシブルディスプレイとを部分的に接着することで、カバーの変形に応じてフレキシブルディスプレイが変形したときに、変形に起因する負荷がフレキシブルディスプレイに加わったとしても、接着されていない部分でフレキシブルディスプレイへの負荷が逃がされるため、フレキシブルディスプレイが破損する可能性を低くすることが出来る。
【００１０】
第２の発明は、第１の発明に従属し、カバーは、平面部および変形する曲面部を有し、基板は、平面部と対応する位置で、フレキシブルディスプレイの裏側に設けられ、接着層は、平面部ではフレキシブルディスプレイとタッチパネルとを接着し、曲面部ではフレキシブルディスプレイとタッチパネルとが接着されない。
【００１１】
第２の発明では、カバーは、平面部および変形する曲面部を有するように形成される。基板は、平面部と対応する位置で、フレキシブルディスプレイの裏側に設けられる。そして、接着層は、平面部ではフレキシブルディスプレイとタッチパネルとを接着する。一方、曲面部ではフレキシブルディスプレイとタッチパネルとは接着されない。
【００１２】
第２の発明によれば、曲面部においてカバーに一体形成されたタッチパネルにフレキシブルディスプレイが接着されていないため、曲面部が変形することで生じるフレキシブルディスプレイへの負荷は、フレキシブルディスプレイが動くことで逃がされる。これにより、カバーの曲面部を変形させたときにフレキシブルディスプレイが破損する可能性を低くすることが出来る。
【００１３】
第３の発明は、第２の発明に従属し、カバーは、矩形であり、平面部は、矩形のカバーの特定部分に設けられ、曲面部は、矩形のカバーの一対の辺の周辺に設けられ、フレキシブルディスプレイは、曲面部と対応する端の部分が内側に折り曲げられている。
【００１４】
第３の発明では、矩形のカバーにおいて、平面部が特定部分（中央部分）に設けられ、曲面部が一対の辺の周辺に設けられる。そして、フレキシブルディスプレイは、曲面部と対応する端の部分が内側に折り曲げられている。
【００１５】
第３の発明によれば、フレキシブルディスプレイの端は内側に折り曲げることで、フレキシブルディスプレイが動いたとしても、他の部品に衝突して破損しないようにしている。つまり、フレキシブルディスプレイの端の部分を内側に折り曲げておくことで、フレキシブルディスプレイが安全な方向に動くようにすることが出来る。
【００１６】
第４の発明は、第１の発明に従属し、カバーは、全体として湾曲しており、基板は、カバーの特定部分と対応する位置で、フレキシブルディスプレイの裏側に設けられ、接着層は、特定部分ではフレキシブルディスプレイとタッチパネルとを接着し、カバーの縁の周辺ではフレキシブルディスプレイとタッチパネルとが接着されず、フレキシブルディスプレイは、カバーの縁の周辺と対応する端の部分が内側に折り曲げられている。
【００１７】
第４の発明では、たとえば携帯端末は腕に装着することが可能なウェアラブル端末であり、カバーが取り付けられるキャビネット（１２）は略円形である。そのため、カバーは、全体として湾曲している。基板は、カバーの特定部分（中央部分）と対応する位置で、フレキシブルディスプレイの裏側に設けられる。そして、接着層は、カバーの特定部分ではフレキシブルディスプレイとタッチパネルとを接着する。一方、カバーの縁の周辺ではフレキシブルディスプレイとタッチパネルとが接着されない。なお、フレキシブルディスプレイは、カバーの縁の周辺と対応する端の部分が、第３の発明と同じように内側に折り曲げられている。
【００１８】
第４の発明によれば、カバーの全体が湾曲した形状であっても、フレキシブルディスプレイが破損する可能性を低くすることが出来る。
【００１９】
また、第３の発明と同様に、フレキシブルディスプレイの端の部分を内側に折り曲げておくことで、フレキシブルディスプレイが安全な方向に動くようにすることが出来る。
【００２０】
第５の発明は、第１の発明に従属し、カバーの特定部分ではフレキシブルディスプレイとタッチパネルとが接着されず、基板は、カバーのその他の部分で、フレキシブルディスプレイの裏側に設けられ、接着層は、カバーのその他の部分ではフレキシブルディスプレイとタッチパネルとを接着し、フレキシブルディスプレイ、カバーおよびタッチパネルは、特定部分で任意に曲げることができる。
【００２１】
第５の発明では、携帯端末は、たとえば小型のノートブック型の形状をしている。カバーの特定部分（中央部分）ではフレキシブルディスプレイとタッチパネルとは接着されない。また、基板は、カバーのその他の部分で、フレキシブルディスプレイの裏側に設けられ、カバーのその他の部分では、接着層はフレキシブルディスプレイとタッチパネルとを接着する。たとえば、ユーザは、携帯端末をタブレット状態、ノートブック状態および折りたたみ状態の状態にすることができ、携帯端末の状態が変化するときに、フレキシブルディスプレイ、カバーおよびタッチパネルは、特定部分で任意に曲げられる。
【００２２】
第５の発明によれば、フレキシブルディスプレイが任意に曲げられる状態であっても、フレキシブルディスプレイが破損する可能性を低くすることが出来る。
【００２３】
第６の発明は、フレキシブルディスプレイ、フレキシブルディスプレイを保護するカバー、フレキシブルディスプレイとカバーとの間に設けられ、フレキシブルディスプレイと同様に変形するタッチパネル、フレキシブルディスプレイの裏側に設けられる基板、カバーとタッチパネルとを、基板が設けられる位置に対応して部分的に接着する第１接着層、およびタッチパネルとフレキシブルディスプレイとを、基板が設けられる位置に対応して部分的に接着する第２接着層を備える。
【００２４】
第６の発明では、たとえば、第１の発明に対して、カバー（１４）とフレキシブルディスプレイ（１６）との間にタッチパネル（１８）が設けられる。また、第１の発明と同様、基板（３０）は、フレキシブルディスプレイの裏側に設けられる。この場合、第１接着層（４０）は、基板が設けられる位置に対応してカバーとタッチパネルとを部分的に接着する。また、第２接着層（６０）も、基板が設けられる位置に対応してタッチパネルとフレキシブルディスプレイとを部分的に接着する。
【００２５】
第６の発明によれば、携帯端末の変形に応じてフレキシブルディスプレイが変形したときに、変形に起因する負荷がフレキシブルディスプレイおよびタッチパネルに加わったとしても、接着されていない部分でフレキシブルディスプレイおよびタッチパネルが動くため、フレキシブルディスプレイおよびタッチパネルが破損する可能性を低くすることが出来る。
【発明の効果】
【００２６】
この発明の一態様によれば、フレキシブルディスプレイが破損する可能性を低くすることが出来る。
【００２７】
この発明の上述の目的、その他の目的、特徴および利点は、図面を参照して行う以下の実施例の詳細な説明から一層明らかとなろう。
【図面の簡単な説明】
【００２８】
【図１】図１はこの発明の一実施例の携帯電話機の外観の一例を示す外観図であり、図１（Ａ）は携帯電話機の表面および側面の一部を示し、図１（Ｂ）は携帯電話機の下側面を示す。
【図２】図２は図１に示す携帯電話機に内蔵される基板および二次電池の配置の一例を示す図解図である。
【図３】図３は図１に示す携帯電話機の断面の一例を示す図解図であり、図３（Ａ）は図１（Ａ）に示す線IIIA−IIIAにおける断面の一例を示し、図３（Ｂ）は図３（Ａ）に示す断面において携帯電話機が変形したときの状態の一例を示す。
【図４】図４は図１に示す携帯電話機が保持されている状態の一例を示す図解図である。
【図５】図５は第２実施例の携帯電話機の外観の一例を示す外観図である。
【図６】図６は図５に示す携帯電話機の断面の一例を示す図解図であり、図６（Ａ）は図５（Ａ）に示す線VIA−VIAにおける断面の一例を示し、図６（Ｂ）は図６（Ａ）に示す断面において携帯電話機が変形したときの状態の一例を示す。
【図７】図７は第３実施例の携帯電話機の外観の一例を示す外観図であり、図７（Ａ）はタブレット状態の外観の一例を示し、図７（Ｂ）はノートブック状態の外観の一例を示し、図７（Ｃ）は折りたたみ状態の外観の一例を示す。
【図８】図８は図７に示す携帯電話機の断面の一例を示す図解図であり、図８（Ａ）は図７（Ａ）に示す線VIIIA−VIIIAにおける断面の一例を示し、図８（Ｂ）は図７（Ｂ）に示す状態の携帯電話機の断面の一例を示し、図８（Ｃ）は図７（Ｃ）に示す状態の携帯電話機の断面の一例を示す。
【図９】図９は図１に示す携帯電話機の断面の他の一例を示す図解図である。
【発明を実施するための形態】
【００２９】
＜第１実施例＞
図１（Ａ）を参照して、この発明の第１実施例の携帯電話機１０は、一例としてスマートフォン（smartphone）であり、その外観は、縦長の扁平矩形となる様にキャビネット１２およびカバーガラス１４によって形成される。また、この発明は、スマートフォンだけでなく、タブレットＰＣや、ＰＤＡなど任意の携帯端末に適用可能であることを予め指摘しておく。
【００３０】
キャビネット１２は、矩形の箱のような形状をしており、底面と周囲を囲う側面とを有している。また、キャビネット１２は樹脂で形成されており、弾性を有するため外部から力が加わると変形し、力が加わらなくなると元の状態に戻る。カバーガラス１４は矩形であり、箱のような形状のキャビネット１２に対する蓋として機能する。カバーガラス１４は、たとえばコーニング(登録商標)社が販売する「Corning Willow Glass（登録商標）」が利用されており、任意に曲げることが出来る。
【００３１】
そして、キャビネット１２およびカバーガラス１４によって携帯電話機１０のハウジングが形成されている。図１（Ｂ）に示す携帯電話機１０を下側面から見た図解図から分かるように、カバーガラス１４の中央部分（特定部分）には平面部が設けられ、カバーガラス１４の一対の辺の周辺には曲面部が設けられる。
【００３２】
カバーガラス１４には、無色透明の表示領域と、所定の色（たとえば、黒色）で彩色されているその他の領域とが設けられている。表示領域と対応する位置には、フレキシブルディスプレイ１６が設けられている。フレキシブルディスプレイ１６は、たとえば有機ＥＬ(OLET)などが採用されており、可撓性を有しているため任意に変形させることが出来る。そして、フレキシブルディスプレイ１６はカバーガラス１４によって保護されている。
【００３３】
また、カバーガラス１４の表示領域には、ＩＴＯなどの透明電極が蒸着されており、本実施例ではこの透明電極がタッチパネル１８として機能している。つまり、カバーガラス１４にはタッチパネル１８が一体形成されている。
【００３４】
携帯電話機１０の主面、つまりカバーガラス１４の表示領域の下側には、通話キー２０ａ、終話キー２０ｂおよびメニューキー２０ｃが設けられている。これらのキー２０は、タッチセンサが利用されている。
【００３５】
また、携帯電話機１０の主面の下側と上側とには、内部に設けられたマイクに音声を入力するための孔２２と、内部に設けられたスピーカからの音声を出力するための孔２４とが形成される。
【００３６】
たとえば、通話を行うタッチ操作およびキー操作が行われ音声通話が開始されると、孔２４を通じてスピーカから受話音声が出力される。一方、ユーザの送話音声は、孔２２を通じてマイクに入力され、通話相手の電話機に送信される。他の電話機から着信が通知されると、着信音がスピーカから出力される。
【００３７】
図２は携帯電話機１０に内蔵される基板３０および二次電池３２の配置の一例を示す図解図である。基板３０は、たとえばガラスエポキシ樹脂製であり、プロセッサやメモリ（ＲＯＭ、ＲＡＭ）などの回路コンポーネントが実装されている。二次電池３２は、たとえばリチウムイオンポリマー二次電池とも呼ばれる。そして、基板３０および二次電池３２は、共に剛性を有しているため変形しにくい。なお、携帯電話機１０の内部には、図示等しない他の部品が設けられるが、当該他の部品は本願発明の本質的な内容とは関係ないため、図示および説明については省略することにする。
【００３８】
基板３０および二次電池３２は、カバーガラス１４の平面部に対応する範囲に対応して、携帯電話機１０の中に収められている。また、基板３０は、携帯電話機１０の中で二次電池３２の周辺を囲うために「コ」の字の形状をしている。そのため、二次電池３２の周囲のほとんどは基板３０によって囲われている。なお、基板３０および二次電池３２は、フレキシブルディスプレイ１６の裏側（図３（Ａ）参照）に設けられている状態になる。
【００３９】
図３（Ａ）は図１に示す線III−IIIにおける断面の一例を示す図解図である。図３（Ａ）を参照して、上述したように、キャビネット１２に対してカバーガラス１４が取り付けられており、キャビネット１２とカバーガラス１４との間に空間が形成されている。カバーガラス１４の裏面には、カバーガラス１４の表示領域に対応してタッチパネル１８（透明電極）が設けられる。ただし、他の実施例では、カバーガラス１４の裏面の全体にタッチパネル１８が設けられていてもよい。
【００４０】
次に、タッチパネル１８が一体形成されているカバーガラス１４の平面部において、フレキシブルディスプレイ１６が接着層４０によってタッチパネル１８に接着されている。また、矩形のカバーガラス１４の左右の一対の辺の周辺、つまり曲面部には接着層４０が設けられていない。つまり、カバーガラス１４の曲面部において、フレキシブルディスプレイ１６はタッチパネル１８に接着されていない。したがって、タッチパネル１８とフレキシブルディスプレイ１６とは、基板３０が設けられる位置に対応して部分的に接着されている状態となる。なお、接着層４０には、紫外線の照射によって硬化する光学硬化性樹脂接着剤などが用いられているが、他の実施例ではＯＣＡテープなどが用いられてもよい。
【００４１】
次に、フレキシブルディスプレイ１６の裏側には、樹脂製で弾性を有し、摩擦係数が小さいインナーシャーシ４２が設けられる。インナーシャーシ４２の形状はカバーガラス１４の形状と略同じである。そのため、フレキシブルディスプレイ１６がタッチパネル１８に接着されていない部分（曲面部）において、フレキシブルディスプレイ１６がカバーガラス１４（タッチパネル１８）から離れないようにされている。また、インナーシャーシ４２は、キャビネット１２の底面に設けられる複数の柱４４によって、携帯電話機１０の中で固定されている。なお、曲面部と対応するフレキシブルディスプレイ１６の端の部分は、インナーシャーシ４２によって支えられておらず、途中の部分がキャビネット１２の底面に当たるように内側に折り曲げてある。
【００４２】
また、複数の柱４４によって基板３０も固定されている。具体的には、各柱４４の中間部分には凸部が設けられており、基板３０には柱４４を通すための孔が設けられている。そして、この孔に柱４４が通された場合、基板３０に設けられた孔は柱４４の中間部分に設けられた凸部が引っかかるようにしてある。つまり、基板３０も、複数の柱４４によって、携帯電話機１０の中で固定されている状態となる。
【００４３】
二次電池３２の下側に設けられる複数のスペーサ４６は、たとえば弾性を持つスポンジのような樹脂で、たとえば直方体の形状となるように形成されている。そして、二次電池３２は複数のスペーサ４６およびインナーシャーシ４２によって挟まれた状態で、携帯電話機１０の中で固定されている。
【００４４】
ここで、キャビネット１２、カバーガラス１４およびインナーシャーシ４２は外部から力が加えられると変形し、外部から力が加わらなくなれば元の形状に戻る。そのため、携帯電話機１０は、弾性を有している状態となる。
【００４５】
図３（Ｂ）を参照して、たとえば携帯電話機１０の主面の曲面部から他面の中央部に対して力が加えられると、カバーガラス１４の曲面部に対応する携帯電話機１０の端の部分は変形、つまり曲がる。また、カバーガラス１４の平面部に対応する携帯電話機１０の中央部分は、剛性が高い基板３０および二次電池３２が内部されるため、キャビネット１２の底面は撓むが、全体としては変形しない。携帯電話機１０の内部では、キャビネット１２の底面の変形に応じてスペーサ４６が変形するため、内蔵されている二次電池３２の形状は変化しない。
【００４６】
また、変形した曲面部のカバーガラス１４（タッチパネル１８）とフレキシブルディスプレイ１６との間の外径・内径差によって、フレキシブルディスプレイ１６に対してせん断応力、つまりフレキシブルディスプレイ１６の内側への引っ張り応力（負荷）が生じる。そして、曲面部ではフレキシブルディスプレイ１６はタッチパネル１８に接着されていないため、フレキシブルディスプレイ１６は自身に対して働いた力に応じて動く。
【００４７】
このように、第１実施例では、曲面部においてカバーガラス１４に一体形成されたタッチパネル１８にフレキシブルディスプレイ１６が接着されていないため、曲面部が変形することで生じるフレキシブルディスプレイ１６への負荷は、フレキシブルディスプレイ１６が動くことで逃がされる。これにより、カバーガラス１４の曲面部を変形させたときにフレキシブルディスプレイ１６が破損する可能性を低くすることが出来る。
【００４８】
また、フレキシブルディスプレイ１６の端は内側に折り曲げてあるため、フレキシブルディスプレイ１６が動いたとしても、キャビネット１２などに衝突して破損することはない。たとえば、フレキシブルディスプレイ１６が折り曲げられていない場合、曲面部が変形したときに、フレキシブルディスプレイ１６の先端がキャビネット１２の底面にぶつかって動かない可能性がある。この場合、フレキシブルディスプレイ１６への負荷が逃がされず、フレキシブルディスプレイ１６が破損してしまう可能性がある。ところが、第１実施例のように、フレキシブルディスプレイ１６の端の部分を内側に折り曲げておくことで、フレキシブルディスプレイ１６が安全な方向に動くようにすることが出来る。ただし、他の実施例では、フレキシブルディスプレイ１６が安全に動くことが出来るようにされていれば、フレキシブルディスプレイ１６の端は折り曲げられていなくてもよい。
【００４９】
以上のように、カバーガラス１４に一体形成されているタッチパネル１８とフレキシブルディスプレイ１６とを部分的に接着することで、携帯電話機１０の変形に応じてフレキシブルディスプレイ１６が変形したときに、変形に起因する負荷がフレキシブルディスプレイ１６に加わったとしても、接着されていない部分でフレキシブルディスプレイ１６への負荷が逃がされるため、フレキシブルディスプレイ１６が破損する可能性を低くすることが出来る。
【００５０】
図４を参照して、たとえば携帯電話機１０がユーザの手に対して大きい場合、携帯電話機１０を左右から挟むようにして持った後に力を加えることで、ユーザ自身が持ちやすい大きさとなるように、携帯電話機１０を変形させることが考えられる。このとき、携帯電話機１０を持つ指や手の一部が表示領域（タッチパネル１８）に接触してしまい、誤動作をしてしまう可能性がある。そのため、本実施例では、タッチパネル１８の左右端には、不感領域５０が設定される。これにより、ユーザが携帯電話機１０を変形させるときなどに、誤動作が起きる可能性を低くすることが出来る。
【００５１】
また、不感領域５０はフレキシブルディスプレイ１６に表示されるため、ユーザは不感領域５０が設定されていることを認識することが出来る。
【００５２】
なお、その他の実施例では、携帯電話機１０が持たれている姿勢をジャイロセンサなどによって検出したときや、携帯電話機１０が動いた直後の状態を加速度センサなどによって検出したときに、不感領域５０が設定されるようにしてもよい。さらにその他の実施例では、マルチタッチが検出された場合や、グリップセンサまたは感圧センサによって携帯電話機１０が把持されたことが検出された場合に、不感領域５０が設定されるようにしてもよい。そして、設定された不感領域５０は所定時間が経過した後に自動的に解除されてもよいし、待機状態（ロック状態）への遷移に合わせて解除されてもよい。
【００５３】
また、本実施例では、不感領域５０に対するタッチ操作を無視する処理によって、タッチ操作が無効にされている。ただし、他の実施例では、不感領域５０に対応する透明電極に対する電力の供給を遮断することで、タッチ操作が無効にされてもよい。
【００５４】
また、他の実施例では、平面部の剛性を上げるために、平面部と対応する位置に剛性の高い部品がさらに内蔵されてもよい。
【００５５】
＜第２実施例＞
図５を参照して、この発明の第２実施例の携帯電話機１０は、一例として腕に装着することが可能なウェアラブル端末であり、その外観は、腕に巻きつくような形状となる様に、キャビネット１２およびカバーガラス１４によって形成される。
【００５６】
キャビネット１２は、矩形の箱のような形状であり、底面と周囲を囲う側面を有している。また、キャビネット１２は、横から見たときに略円形となるように形成されており、円周の一部が欠けている。カバーガラス１４は全体として湾曲しており、キャビネット１２と対応した形状をしている。そのため、カバーガラス１４はキャビネット１２に対する蓋として機能する。
【００５７】
そして、キャビネット１２およびカバーガラス１４によって携帯電話機１０のハウジングが形成されている。キャビネット１２にカバーガラス１４が取り付けられた状態では、カバーガラス１４は、携帯電話機１０の外面の略全体となる。
【００５８】
カバーガラス１４は、端の部分以外は無色透明の表示領域であり、その表示領域と対応してフレキシブルディスプレイ１６が設けられている。また、端の部分は所定の色で彩色されている。また、第１実施例と同様、カバーガラス１４の表示領域にはタッチパネル１８が一体形成されている。
【００５９】
また、キャビネット１２、カバーガラス１４、フレキシブルディスプレイ１６およびタッチパネル１８については、第１実施例と同じ素材であり、同じ性質を有しているため、第２実施例の携帯電話機１０も弾性を有している状態となる。たとえば、キャビネット１２の円周において欠けている部分を広げるように力を加えることで、ユーザは携帯電話機１０を腕に着脱することができる。また、装着後に力を加えるのをやめれば、携帯電話機１０の形状が元に戻るため、元の形状の携帯電話機１０は腕から抜け落ちない状態となる。
【００６０】
なお、第２実施例では、近距離無線通信によって携帯電話機１０と無線接続されるヘッドセットを使うことで、ユーザは携帯電話機１０で通話を行うことが出来る。
【００６１】
図６（Ａ）は、図５に示す線VIA−VIAにおける断面の一例を示す図解図である。なお、この断面図において、第１実施例と同じものについては詳細な説明を省略する。
【００６２】
図６（Ａ）を参照して、第２実施例でも、キャビネット１２とカバーガラス１４とによって、携帯電話機１０の内部には空間が形成される。ただし、基板３０および二次電池３２は３つに分割されて携帯電話機１０の内部に固定されている。具体的には、１つめの基板３０および二次電池３２は、キャビネット１２の略中央部分と対応する位置に固定され、２つめおよび３つめの基板３０および二次電池３２は、１つめの基板３０および二次電池３２とは所定の間隔を空け、かつキャビネット１２の端の部分ではない位置に固定される。そして、３つの基板３０のそれぞれはフレキシブルプリント基板（ＦＰＣ）４８ａによって接続されており、３つの二次電池３２のそれぞれはフレキシブルプリント基板４８ｂによって接続されている。また、フレキシブルプリント基板４８ａ，４８ｂは、任意に曲げることが出来る。なお、第２実施例では、各二次電池３２は、基板３０およびスペーサ４６によって挟まれた状態で、携帯電話機１０の中で固定されている。
【００６３】
また、第２実施例では、カバーガラス１４に一体形成されたタッチパネル１８とフレキシブルディスプレイ１６とは、基板３０および二次電池３２と対応する部分では接着層４０によって接着され、その他の部分は接着されていない。つまり、基板３０および二次電池３２と対応しているカバーガラス１４の略中央部分などではフレキシブルディスプレイ１６とタッチパネル１８とが接着層４０によって接着され、基板３０および二次電池３２と対応していないカバーガラス１４の縁の周辺などではフレキシブルディスプレイ１６とタッチパネル１８とが接着されていない状態となる。
【００６４】
なお、インナーシャーシ４２によって支えられていないフレキシブルディスプレイ１６の端の部分は、途中の部分がキャビネット１２の側面と底面とに当たるようにして内側に折り曲げてある。
【００６５】
図６（Ｂ）を参照して、たとえば携帯電話機１０を腕に装着するために、携帯電話機１０（キャビネット１２）における円周の欠けている部分を広げるように力を加えると、タッチパネル１８とフレキシブルディスプレイ１６とが接着されていない部分が変形する。
【００６６】
このとき、変形したカバーガラス１４（タッチパネル１８）とフレキシブルディスプレイ１６との間の外径・内径差によって、フレキシブルディスプレイ１６に対してせん断応力、つまりフレキシブルディスプレイ１６の外側への引っ張り応力（負荷）が生じる。そして、フレキシブルディスプレイ１６においてタッチパネル１８と接着されていない部分では、フレキシブルディスプレイ１６は自身に対して働いた力に応じて動く。たとえば、フレキシブルディスプレイ１６の両端が接着されている部分では、フレキシブルディスプレイ１６は撓む。また、フレキシブルディスプレイ１６のどちらか一方の端が接着されている部分では、フレキシブルディスプレイ１６は動く。したがって、変形することで生じるフレキシブルディスプレイ１６への負荷は、フレキシブルディスプレイ１６が動くことで逃がされる。そのため、携帯電話機１０の全体が湾曲した形状であっても、フレキシブルディスプレイ１６が破損する可能性を低くすることが出来る。
【００６７】
また、複数の基板３０のそれぞれを接続するフレキシブルプリント基板４８ａおよび複数の二次電池３２のそれぞれを接続するフレキシブルプリント基板４８ｂも、フレキシブルディスプレイ１６と同じように動くため、フレキシブルプリント基板４８ａ，４８ｂが破損する可能性も低くなる。このように、第２実施例では、曲げ伸ばす部分にフレキシブルプリント基板４８ａ，４８ｂを設けることで、携帯電話機１０の曲げ伸ばしが阻害されないようにされている。
【００６８】
また、第２実施例では、第１実施例と同様、フレキシブルディスプレイ１６の端の部分を内側に折り曲げておくことで、フレキシブルディスプレイ１６が安全な方向に動くようにしてある。
【００６９】
さらに、図示は省略するが、携帯電話機１０（キャビネット１２）において円周の一部が欠けている部分を狭めるように力を加えた場合は、キャビネット１２の端の部分、つまりフレキシブルディスプレイ１６とタッチパネル１８とが接着されていない部分が主に変形する。このときも、接着されていない部分では、フレキシブルディスプレイ１６が動くことで、フレキシブルディスプレイ１６に対する負荷が逃がされる。
【００７０】
なお、他の実施例では、基板３０および二次電池３２は、４つ以上に分割されてもよい。この場合も、タッチパネル１８とフレキシブルディスプレイ１６とは、分割されている各基板３０および二次電池３２に対応して接着される。
【００７１】
＜第３実施例＞
図７（Ａ）−（Ｃ）を参照して、この発明の第３実施例の携帯電話機１０は、一例として小型のノートブック型の形状をしており、携帯電話機１０の外観はキャビネット１２およびカバーガラス１４によって形成される。また、第３実施例では、図７（Ａ）の状態をタブレット状態と言い、図７（Ｂ）の状態をノートブック状態と言い、図７（Ｃ）の状態を折りたたみ状態と言う。
【００７２】
キャビネット１２は、矩形の箱のような形状であり、底面と周囲を囲う側面とを有している。また、キャビネット１２は中央部分（特定部分）で２つに分けられており、２つのキャビネット１２がゴムカバー２６によって接続されている。カバーガラス１４は、矩形であり、キャビネット１２の主面を構成するように取り付けられている。つまり、カバーガラス１４はキャビネット１２に対する蓋として機能する。そして、カバーガラス１４の形状は、携帯電話機１０の状態の変化に対応して変形する。なお、ゴムカバー２６は伸縮性を有しているため、ゴムカバー２６は、携帯電話機１０の状態の変化に対応して変形する。
【００７３】
カバーガラス１４は、略全体が無色透明の表示領域であり、その表示領域と対応してフレキシブルディスプレイ１６が設けられている。つまり、携帯電話機１０の外面の略全体がフレキシブルディスプレイ１６の表示面と対応している。また、第１実施例と同様、カバーガラス１４にはタッチパネル１８が一体形成されている。
【００７４】
また、カバーガラス１４、フレキシブルディスプレイ１６およびタッチパネル１８については、第１実施例と同じ素材であり、同じ性質を有している。また、携帯電話機１０の各状態を保持するための状態保持機構が、たとえば携帯電話機１０の内部に設けられている。
【００７５】
なお、第３実施例では、第２実施例と同様、近距離無線通信によって携帯電話機１０と無線接続されるヘッドセットを使うことで、ユーザは携帯電話機１０で通話を行うことが出来る。
【００７６】
図８（Ａ）は、図７（Ａ）に示す線VIIIA−VIIIAにおける断面の一例を示す図解図である。また、図８（Ｂ）は図７（Ｂ）に示すノートブック状態の断面に対応し、図８（Ｃ）は図７（Ｃ）に示す折りたたみ状態の断面に対応する。なお、この断面図において、第１実施例および第２実施例と同じものについては詳細な説明を省略する。
【００７７】
図８（Ａ）を参照して、第３実施例では、キャビネット１２、カバーガラス１４およびゴムカバー２６によって、携帯電話機１０の内部には空間が形成される。ただし、基板３０は、２つに分割されて携帯電話機１０の内部に固定されている。具体的には、２つの基板３０のそれぞれは、２つのキャビネット１２のそれぞれに固定されている。そして、第２実施例と同様、２つの基板３０は、フレキシブルプリント基板４８ａによって接続されている。また、これらの基板３０と同様、インナーシャーシ４２も２つに分割されており、それぞれのキャビネット１２に固定されている。
【００７８】
また、タッチパネル１８およびフレキシブルディスプレイ１６は、略中央部分が接着されておらず、その他の部分は接着されている。つまり、カバーガラス１４の略中央部分ではタッチパネル１８とフレキシブルディスプレイ１６とは接着されておらず、カバーガラス１４のその他の部分ではタッチパネル１８とフレキシブルディスプレイ１６とが接着層４０によって接着されている。そして、タブレット状態におけるフレキシブルディスプレイ１６は、接着されていない部分は、撓んだ状態にされている。なお、基板３０は、カバーガラス１４のその他の部分で、フレキシブルディスプレイの裏側に設けられている状態ともいえる。
【００７９】
また、二次電池３２は、一方のキャビネット１２に内蔵され、第１実施例と同様、スペーサ４６とインナーシャーシ４２とによって固定されている。なお、他の実施例では、第２実施例と同様、分割され、分割されている各基板３０に対応する位置に設けられてもよい。
【００８０】
図８（Ｂ）を参照して、携帯電話機１０がノートブック状態にされると、カバーガラス１４が変形し、それに応じてフレキシブルディスプレイ１６も変形する。このとき、カバーガラス１４（タッチパネル１８）とフレキシブルディスプレイ１６との間の外径・内径差によって生じるフレキシブルディスプレイ１６に対する負荷が、フレキシブルディスプレイ１６の撓んだ部分が伸びることで逃がされる。さらに、図８（Ｃ）を参照して、携帯電話機１０が折りたたみ状態にされると、カバーガラス１４とフレキシブルディスプレイ１６との間の外径・内径差がさらに大きくなり、フレキシブルディスプレイ１６に対する負荷も増大するが、この負荷についても、フレキシブルディスプレイ１６の撓んだ部分が伸びることで吸収される。このように、フレキシブルディスプレイ１６が任意に曲げられる状態であっても、フレキシブルディスプレイ１６が破損する可能性を低くすることが出来る。
【００８１】
また、他の実施例では、フレキシブルディスプレイ１６の中央部分から一方の端の部分までを接着しないようにすることで、フレキシブルディスプレイ１６に対する負荷を逃がすようにしてもよい。この場合、タブレット状態であっても、フレキシブルディスプレイ１６を撓ませる必要が無くなるため、フレキシブルディスプレイ１６の表示が見やすくなる。
【００８２】
なお、第１実施例は、第２実施例および第３実施例と組み合わせられてもよい。そして、この組み合わせについては、その内容が容易に想到できるため詳細な説明は省略する。
【００８３】
また、他の実施例で、カバーガラス１４とフレキシブルディスプレイ１６との間に、独立して形成されたタッチパネル１８を設けてもよい。図９を参照して、他の実施例では、カバーガラス１４とタッチパネル１８とが、基板３０と対応する位置で部分的に接着される。また、タッチパネル１８とフレキシブルディスプレイ１６とも、基板３０と対応する位置で、第２接着層６０によって部分的に接着される。
【００８４】
たとえば、第１実施例でカバーガラス１４とフレキシブルディスプレイ１６との間にタッチパネル１８が設けられた場合は、平面部において、カバーガラス１４とタッチパネル１８とが接着され、タッチパネル１８とフレキシブルディスプレイ１６とが接着される。そして、曲面部では、カバーガラス１４およびタッチパネル１８、タッチパネル１８およびフレキシブルディスプレイ１６は、接着されない。これにより、携帯電話機１０の変形に応じてフレキシブルディスプレイ１６が変形したときに、変形に起因する負荷がフレキシブルディスプレイ１６およびタッチパネル１８に加わったとしても、接着されていない部分でフレキシブルディスプレイ１６およびタッチパネル１８が動くため、フレキシブルディスプレイ１６およびタッチパネル１８が破損する可能性を低くすることが出来る。
【００８５】
また、他の実施例でも、フレキシブルディスプレイ１６およびタッチパネル１８の端の部分を内側に折り曲げておくことで、フレキシブルディスプレイ１６およびタッチパネル１８が安全な方向に動くようにしてある。
【００８６】
また、その他の実施例では、フレキシブルディスプレイ１６とタッチパネル１８とで接着されていない部分にゴミなどが入らないようにするために、その部分にゲル状の樹脂の層を設けてもよい。また、フレキシブルディスプレイ１６が閉塞された状態となるようにインナーシャーシ４２などを変形させて、外部からゴミが浸入しないようにしてもよい。
【００８７】
また、その他の実施例では、携帯電話機１０が弾性を有することが可能であれば、キャビネット１２およびインナーシャーシ４２は他の素材（たとえば、金属）であってもよい。またカバーガラス１４に代えて、弾性を有する樹脂のカバーが利用されてもよい。さらに、フレキシブルディスプレイ１６には、有機ＥＬ以外のものが採用されてもよい。
【００８８】
また、さらにその他の実施例では、カバーガラス１４にはタッチパネル１８が一体形成されていなくてもよい。この場合、フレキシブルディスプレイ１６の一部が直接カバーガラス１４に接着されることになる。
【符号の説明】
【００８９】
１０    …  携帯電話機
１２    …  キャビネット
１４    …  カバーガラス
１６    …  フレキシブルディスプレイ
１８    …  タッチパネル
４０    …  （第１）接着層
６０    …  第２接着層
【図１】
2015226204.tif 000003
【図２】
2015226204.tif 000004
【図３】
2015226204.tif 000005
【図４】
2015226204.tif 000006
【図５】
2015226204.tif 000007
【図６】
2015226204.tif 000008
【図７】
2015226204.tif 000009
【図８】
2015226204.tif 000010
【図９】
2015226204.tif 000011